(57)【要約】      （修正有）【課題】家庭用の扇風機や他の送風機を容易に活用可能にし、その送風流を乾燥機箱内全域に行き渡らせ且つ個々の洗濯物内部に到達しうる送風乾燥機を提供する。【解決手段】乾燥機箱体内の上部に、扇風機を収納設置する室域を設け、この室域の下面は格子状棚と成し、この格子状棚の上に扇風機羽根送風面を乾燥機箱体内下方に向けた扇風機を戴載した架台を搭載し、この扇風機戴載架台は板形状材に扇風機の送風羽根部を収容し得る内部が空洞な円柱形状材を板形状材に固着し、さらに円柱形状材内壁面に沿って板形状材を切除し扇風機の送風を可能ならしめ、且つ扇風機の支柱部を保持し得る扇風機支柱部保持台座を該板形状材に固着する。【選択図】図１
0003162164.tif 000002
【実用新案登録請求の範囲】
【請求項１】
送風式乾燥機の送風手段である扇風機を容易に載せ下ろし自在と成し、該扇風機の操作機能を使用可能にした扇風機戴載架台と該架台を乾燥機箱より取り外すことにより他の送風手段を選択可能にした扇風機戴載架台を特徴とした乾燥機。
【請求項２】
請求項１の送風手段によって起こされた強制送風を請求項１の乾燥機箱体の内壁四方に拡散する手段として該送風手段の風下に設置する送風機羽根の中心よりハ形に配置された導風増速板片を提供することを特徴とする乾燥機。
【請求項３】
請求項２の導風増速板片からの強制風を拡散可能ならしめる空間域を持つことを特徴とする乾燥機。
【請求項４】
請求項２によって起こされた強制送風を乾燥目的物例えば衣類を開口し衣類の内部まで強制風に曝す手段を持った衣類乾燥物係止構造物を提供する乾燥機。
【請求項５】
請求項１から４までを具備し、金属・樹脂・布（織布・不織布）・木質で成された開閉自在の扉、天蓋を備えた箱体を特徴とした乾燥機。
【考案の詳細な説明】
【技術分野】
【０００１】  本考案は、衣類を主とする洗濯物の乾燥手段として、強制送風手段を備えた簡易洗濯物乾燥機を提供する。
【背景技術】
【０００２】  洗濯物の乾燥時間の短縮や風合いを高める解決手段が求められている。洗濯物の蒸発を促す為に、衣類を回転する手段を講じたものがある。（例えば特許文献１参照）【０００３】  前項の効果的に空気に曝す手段として衣類を揺動させる装置がある。（例えば特許文献２参照）【０００４】  送風手段の吐出方法によりに洗濯物を効果的に風流に曝す装置を提供する。（例えば特許文献３参照）【０００５】安価な洗濯物乾燥装置を提供するものがある。（例えば実用新案文献４参照）【０００６】洗濯機下部の送風口を衣類で塞ぐ恐れに対処する発明。（例えば特許文献５参照）
【先行技術文献】
【特許文献１】
【０００７】特開平８−２４４９６特開平８−２１５４８７登録実用新案第３０５３２９２号【特許文献２】
【０００８】特開平１０−２２５５９７特開平２００２−２８３９８【特許文献３】
【０００９】特開平７−２４８１８３特開２００８−２４５６８８
【実用新案文献４】
【００１０】登録実用新案第３００９２８９号【特許文献５】
【００１１】特開２００２−３０６８９９
【考案の概要】
【考案が解決しようとする課題】
【００１２】  洗濯物の部屋干し時の臭いや風合い対策の洗剤や、洗濯時に酢を小さじ２杯入れると臭いが押さえられる等知見されている。これらはいかに洗濯物の自然乾燥に問題があるか示している。また省エネルギーが求められている。この面から早く乾かなくとも一定時間（例えば一晩）でも良いとの要望も有る。夏場しか使わない或いはまったく使用していない扇風機は活用できないか等これら要望に応える（１）安価（２）省エネ（３）効果的に衣類を送風流に曝すことが可能になる解決手段を提供する（４）吊り下げ衣類の脱落落下による送風口を塞ぐ不具合を想定した対策も課題である。（５）短時間に乾燥させると比例して蒸発水分の空気中への発散も大きくなる。
【課題を解決する手段】
【００１３】  本考案は、乾燥箱体内部の最上部に送風手段としての扇風機や室内用小型送風機を戴載自在にし、且つ該扇風機の操作盤を操作可能位置に設定可能にした扇風機架台を提供する。該送風手段の風下に乾燥箱体内部四方に送風を可能にしたハ型に配置した導風増風板片を設ける。さらに該板片の下部に送風流を拡散しうる空間を設ける。該空間の風下にハンガーを使用しなくとも直接洗濯物等を係止し得る挟具や吊具を任意位置に設置可能な格子あるいは、簀の子形状の棚を設ける。直接洗濯物を係止し衣類を開口して洗濯物内部に送風を行き渡らせる。このため竿も不要になる。基本的にハンガーは不要であるが使用も出来る。
【考案の効果】
【００１４】  本考案の効果は（１）洗濯物の回転や揺動装置が無くとも洗濯物を送風流に効率的に曝し乾燥させ得る点にある。（２）扇風機や小型送風機は熱源使用の乾燥機に比べ格段に経済的である。（３）熱源使用の乾燥機に比べて乾燥時間が長いがその為時間当たりの蒸発量も少ない。このため居室・洗濯室等設置場所の選択が広い（４）屋外乾燥建築物あるいは浴室乾燥装置を使用しなくとも、家庭内の季節荷物化している扇風機や小型送風機を利用すれば設備費の軽減になる。（５）洋箪笥あるいはロッカー形状にすれば部屋に設置してもベランダに設置しても、その材質や製造方法によるが非常に安価且つ外観上体裁よく提供出来る。（６）防犯上の利点もある。（７）扇風機を利用しての部屋乾しより、効率的であり美観上も良い。（８）送風手段が箱体最上部に在る為衣類の落下による送風口塞ぎ対策が不要で且つ衣類の胴回り・首周り・袖周り等への送風流送り込みが可能になる。（９）日常の衣類例えばパジャマ・下着の収容庫になる。該乾燥箱内へのハンガー掛けも出来る。（１０）浴室乾燥の場合乾燥時にはシャワーの使用が制限されるが本考案乾燥機ではその様な制限が無い。
【図面の簡単な説明】
【００１５】
【図１】本考案の洗濯物乾燥機の実施内部透視図。
【図２】扇風機使用時の戴載架台。
【図３】送風機中心より風下にハ型に取り付けた導風増速板片。
【図４】開口係止した洗濯衣類と風流方向の説明。
【図５】衣類係止棚を引き出し式にした例
【図６】小型送風機を戴載した洋箪笥型（ロッカー）実施例
【考案を実施するための形態】
【００１６】  乾燥機箱体内上段の送風機による風力にて、衣類を主とした洗濯物を乾燥させるために、扇風機を戴載する架台と架台を載せる格子状或いは簀の子状の棚を設ける。送風手段のうち小型送風機はその目的から風を絞り出来るだけ遠方に達し得る様になっている。扇風機は少しその面の能力は落ちるが同様である。これらの送風手段でも乾燥箱体最下面までの送風能力は十分ある。しかし乾燥箱体全面にむら無く拡散送風する手段が必要となる。乾燥箱体は機能から断面横長の長方形をなすがこの形状から左右方向への導風手段が必要である。本考案はこの課題解決の為送風手段の送風羽根中心から該箱体左右方向にハの字型に導風板片を設ける。しかし例えば該箱体の横断面長が９０センチメートルの場合送風力を減じることなく該導風板片の角度を設定すると該箱体の左右隅に達する送風は該導風板片の下端より最低１０センチメートル必要になる。この為に送風拡散空間が必要になる。洗濯物が例えばズボンである場合胴回りを開口しその開口に向けて送風すれば乾燥効果は上がる。他の衣類も同様である。この衣類を開口可能にした吊下げ手段を提供する。
【実施例】
【００１７】以下添付図面に従って一実施例を説明する。（図１）１は乾燥箱体である。金属・樹脂・職布・不織布・木質系・等広範囲に選択し得る。２は載せ下ろし自在の天蓋である。３は送風手段、扇風機や小型送風機。４は送風手段を着脱自在に戴載し得る架台である。４ａ４ｂは扇風機の設置構造物。５は送風手段により発生した送風を拡散収束する手段の導風増速板片。５ａは該導風板片を収容する構造体である。６は５ａからの強制風の拡散域の空間である。７は洗濯物を係止する手段を取り付ける格子状あるいは簀の子状棚であり洗濯物を支える十分な強度を有す。８は洗濯物係止手段である。挟具・吊具・引っ掛け具等であるが洗濯物にはピンチが一般的。９は乾燥物、図ではズボン・シャツ・バスタオル等の取り付け例であり胴回り首周りを開口している。さらに下段７ａには小物を取り付け得る。最下段の７ｂには靴等も置ける。矢印は送風手段からの強制風の流れを示したものである。【００１８】  （図２）４は格子あるいは簀の子状の最上段棚（図１には記載無し）に載せ下ろし自在な扇風機架台である。４ａは羽根の周りの風収束囲い兼羽根部固定装置。４ｂは扇風機支柱を支え扇風機の操作盤（図１の３ｂ）を操作可能位置に設定固定する。【００１９】  （図３）５は導風増速板片５ａを収容する構造体である。５ａは送風が乾燥機箱体最下部に達し且つその機能目的である送風流が該箱体に全部に及ぶ様に該板片の角度を調節設定し得る。【００２０】  （図４）ズボン・シャツ等洗濯物９の胴回り・首周りを送風流の風上方向に向けて開口し送風流が該洗濯物の中まで通る様に吊下げ可能とした８の取り付け具と格子あるいは簀の子形状の棚７の実施例である。【００２１】  図５は衣類係止棚７が引き出し式の図である。棚が引き出せると衣類が掛けやすい【００２２】  さらに別の実施例（図６）は送風手段が小型風収束機能つき送風機の設置例である。この時は扇風機架台４は取り外されている。１１は空気吸気孔１２・１２ａは扉の一形体を提供する。【００２３】  １の材質・外観は設置場所の環境に合わせる。部屋の場合は美的外観を重視し木質系塗装や白色等が提案される。屋外のベランダ等では雨水対策としての吸気口のカバー等が必要であり風対策としての手すり下部やベランダひさしへの所謂ツッパリ棒等の対策が考えられる。
【符号の説明】
【００２４】１  乾燥機箱体２  乾燥機天蓋３  送風手段４  扇風機架台５  導風増速板片部６  強制風拡散空間７  衣類係止具取付け棚８  衣類係止具９  乾燥物
【図１】
0003162164.tif 000003
【図２】
0003162164.tif 000004
【図３】
0003162164.tif 000005
【図４】
0003162164.tif 000006
【図５】
0003162164.tif 000007
【図６】
0003162164.tif 000008
【手続補正書】
【提出日】平成22年1月26日(2010.1.26)
【手続補正１】
【補正対象書類名】明細書
【補正対象項目名】００１４
【補正方法】変更
【補正の内容】
【００１４】本考案の効果は（１）洗濯物の回転や揺動装置が無くとも洗濯物を送風流に効率的に曝し乾燥させ得る点にある。（２）扇風機や小型送風機は熱源使用の乾燥機に比べ格段に経済的である。（３）熱源使用の乾燥機に比べて乾燥時間が長いがその為時間当たりの発熱量も少ない。このため居室・洗濯室等設置場所の選択が広い（４）屋外乾燥建築物あるいは浴室乾燥装置を使用しなくても、家庭内の季節荷物化している扇風機や小型送風機を利用すれば設備費の軽減になる。（５）用箪笥あるいはロッカー形状にすれば部屋に設置してもベランダに設置しても、その材質や製造方法によるが非常に安価且つ外観上体裁よく提供出来る。（６）防犯上の利点もある。（７）扇風機を利用しての部屋乾しより、効果的であり美観上も良い。（８）送風手段が箱体上部に在る為衣類の落下による送風口塞ぎ対策が不要で且つ衣類の胴回り・首周り・袖周り等への送風流送り込みが可能になる。（９）日常の衣類の例えばパジャマ・下着の収納庫になる。該乾燥箱内へのハンガー掛けも出来る。（１０）浴室乾燥の場合乾燥時にはシャワーの使用が制限されるが本考案乾燥機ではその様な制限が無い。
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
乾燥機箱体内上部に、扇風機を収納設置する室域を設ける。該室域の下面は格子状棚と成す。該格子状棚上に扇風機羽根送風面を乾燥機箱体内下方向へ向けた扇風機を戴載した架台を搭載する。該扇風機戴載架台は板形状材に該扇風機の送風羽根部を収容し得る内部が空洞な円柱形状材を該板材に固着し、且つ該扇風機支柱部を保持し得る該扇風機支柱部保持台座を該板材に固着し、さらに上記円柱部内壁面に沿って該板材を切除し扇風機の送風を可能ならしめる構造を有する扇風機戴載台座と上記格子状棚を特徴とする乾燥機。
【請求項２】
前記乾燥機箱体内の扇風機戴載架台を搭載した前記格子棚下に該扇風機の送風流を拡散する導風増速板片を収容する構造体を設ける。該導風増速板片構造体は上下を開放した箱体に薄板片を扇風機羽根の中心位置からハ型に配置固着したフィン形状を成す。該導風増速板片構造体を特徴とした請求項１の乾燥機。
【請求項３】
前記乾燥機箱体内の前記導風増速板片構造体と該乾燥機箱体内洗濯物との間に該扇風機送風流を該乾燥機箱体内全域に拡散しうる空間域を設けることを特徴とする請求項１の乾燥機。
【請求項４】
前記乾燥機箱体内の前記扇風機送風流拡散空間域の下面に、乾燥目的物の洗濯物を吊り下げ得る格子状棚を設置する。該格子状棚は該乾燥機箱体内の前面を除く三方壁面に固着され、洗濯物の重量に耐え得る強度と該洗濯物の係止手段のピンチやハンガーを取り付け得る形状をなす。且つ該扇風機の送風流を通過せしめる丸棒形状格子とした該洗濯物吊り下げ棚を特徴とした請求項１の乾燥機。
【請求項５】
前記洗濯物吊り下げ格子棚同形状と強度を有する洗濯物吊り下げ棚を前記乾燥機箱体内下面より略４０センチメートル位置に前面を除く三方壁面に固着する。該洗濯物吊り下げ棚は靴や小物洗濯物を搭載し、あるいは吊り下げ得る。小物洗濯物用吊り下げ棚を特徴とした請求項１の乾燥機。
【手続補正書】
【提出日】平成22年6月4日(2010.6.4)
【手続補正１】
【補正対象書類名】実用新案登録請求の範囲
【補正対象項目名】全文
【補正方法】変更
【補正の内容】
【実用新案登録請求の範囲】
【請求項１】
乾燥機箱体内の上部に、扇風機を収納設置する室域を設け、この室域の下面は格子状棚と成し、この格子状棚の上に扇風機羽根送風面を乾燥機箱体内下方に向けた扇風機を戴載した架台を搭載し、この扇風機戴載架台は板形状材に扇風機の送風羽根部を収容し得る内部が空洞な円柱形状材を該板形状材に固着し、さらに上記円柱形状材内壁面に沿って該板形状材を切除し扇風機の送風を可能ならしめ、且つ該扇風機の支柱部を保持し得る該扇風機支柱部保持台座を該板形状材に固着した扇風機戴載架台を特徴とする乾燥機。
【請求項２】
前記乾燥機箱体内の扇風機戴載架台を搭載した前記格子状棚下に該扇風機の送風流を拡散する導風増速板片を収容する構造体を設け、この導風増速板片構造体は上下を開放した箱体に薄板片を扇風機羽根の中心位置からハ型に配置固着したフィン形状を成した、上記導風増速板片構造体を特徴とした請求項１の乾燥機。
【請求項３】
前記乾燥機箱体内の前記導風増速板片構造体と該乾燥機箱体内の洗濯物との間に扇風機の送風流を該乾燥機箱体内全域に拡散しうる空間域を設けることを特徴とする請求項１の乾燥機。
【請求項４】
前記乾燥機箱体内の前記扇風機送風流拡散空間域の下面に、乾燥目的物の洗濯物を吊り下げ得る格子状棚を設置し、この格子状棚は該乾燥機箱体内の前面を除く壁面三方に固着され、洗濯物の重量に耐え得る強度と該洗濯物の係止手段のピンチやハンガーを取り付け得る形状をなし、且つ扇風機の送風流を通過せしめる得る格子状とした、洗濯物吊り下げ格子状棚を特徴とした請求項１の乾燥機。
【請求項５】
前記洗濯物吊り下げ格子状棚より下位置の、前記乾燥機箱体内の下部位置に、該乾燥機箱体内の前面を除く壁面三方に固着した、前記洗濯物吊り下げ格子状棚と同形状と強度を有する格子状棚を特徴とした請求項１の乾燥機。